(57)【特許請求の範囲】
【請求項１】
三相交流電源用のコンデンサブッシング（２ａ，２ｂ，２ｃ）を監視するための方法であって、各コンデンサブッシング（２ａ，２ｂ，２ｃ）が、前記交流電源の複数の電力線（５ａ，５ｂ，５ｃ）のうちの１つの電力線に接続されている１つの導体（４）と、この導体（４）を包囲する導電性の１つの内層（３）とを有し、当該方法は、
・各コンデンサブッシング（２ａ，２ｂ，２ｃ）に対して、上部静電容量（Ｃ０ａ，Ｃ０ｂ，Ｃ０ｃ）と下部静電容量（Ｃ１ａ，Ｃ１ｂ，Ｃ１ｃ）とが検出されるステップと、
・各コンデンサブッシング（２ａ，２ｂ，２ｃ）で、それぞれの前記内層（３）と１つの接地電位（１３）との間に存在する測定電圧（Ｕ１ａ，Ｕ１ｂ，Ｕ１ｃ）が検出されるステップと、
・各コンデンサブッシング（２ａ，２ｂ，２ｃ）に対して、それぞれの前記測定電圧（Ｕ１ａ，Ｕ１ｂ，Ｕ１ｃ）とそれぞれの前記下部静電容量（Ｃ１ａ，Ｃ１ｂ，Ｃ１ｃ）とによって決まり、その他の複数のコンデンサブッシング（２ｂ，２ｃ，２ａ）のうちの１つのコンデンサブッシングの前記測定電圧（Ｕ１ｂ，Ｕ１ｃ，Ｕ１ａ）と前記下部静電容量（Ｃ１ｂ，Ｃ１ｃ，Ｃ１ａ）と前記上部静電容量（Ｃ０ｂ，Ｃ０ｃ，Ｃ０ａ）とによって決まる実際の静電容量（Ｃ０ａ′，Ｃ０ｂ′，Ｃ０ｃ′）が計算されるステップと、
・各コンデンサブッシング（２ａ，２ｂ，２ｃ）に対して、それぞれの前記上部静電容量（Ｃ０ａ，Ｃ０ｂ，Ｃ０ｃ）が、それぞれの前記実際の静電容量（Ｃ０ａ′，Ｃ０ｂ′，Ｃ０ｃ′）と比較されるステップと、
・前記複数の静電容量の比較によって決まる監視信号が生成されるステップとを有する当該方法。
【請求項２】
・各相（Ｐａ，Ｐｂ，Ｐｃ）に対して、前記電源電圧（Ｕａ，Ｕｂ，Ｕｃ）が検出され、・これらの電源電圧（Ｕａ，Ｕｂ，Ｕｃ）が互いに比較され、
・前記電圧の比較の結果、これらの電源電圧（Ｕａ，Ｕｂ，Ｕｃ）が、既定の範囲（ＵＡＢ，ＵＢＣ，ＵＣＡ）から互いに外れていない場合は、複数の前記実際の静電容量（Ｃ０ａ′，Ｃ０ｂ′，Ｃ０ｃ′）が計算され、これらの静電容量（Ｃ０ａ，Ｃ０ｂ，Ｃ０ｃ，Ｃ０ａ′，Ｃ０ｂ′，Ｃ０ｃ′）が比較され、前記監視信号が生成される請求項１に記載の方法。
【請求項３】
・前記電圧の比較時に、前記電源電圧（Ｕａ，Ｕｂ，Ｕｃ）の実効値（Ｕａｅ，Ｕｂｅ，Ｕｃｅ）及び／又はピーク値及び／又は振幅が使用される請求項２に記載の方法。
【請求項４】
・前記電圧の比較に対する許容値ＵＡＢ＞０，ＵＢＣ＞０，ＵＣＡ＞０が決定され、
・｜Ｕａｅ−Ｕｂｅ｜≦ＵＡＢ及び｜Ｕｂｅ−Ｕｃｅ｜≦ＵＢＣ及び｜Ｕｃｅ−Ｕａｅ｜≦ＵＣＡが成立するか否かが検査されるように、前記電圧の比較が実行される請求項３に記載の方法。
【請求項５】
・第１コンデンサブッシング（２ａ）の実際の静電容量（Ｃ０ａ′）が、以下の式にしたがって計算され、
【数１】
0006588906.tif 000008
ここで、Ｋａは、補正値であり、Ｋａ＝１又はＫａ＝Ｕｂ／Ｕａが、この補正値に対して成立し、及び／又は
・第２コンデンサブッシング（２ｂ）の実際の静電容量（Ｃ０ｂ′）が、以下の式にしたがって計算され、
【数２】
0006588906.tif 000009
ここで、Ｋｂは、補正値であり、Ｋｂ＝１又はＫｂ＝Ｕｃ／Ｕｂが、この補正値に対して成立し、及び／又は
・第３コンデンサブッシング（２ｃ）の実際の静電容量（Ｃ０ｃ′）が、以下の式にしたがって計算され、
【数３】
0006588906.tif 000010
ここで、Ｋｃは、補正値であり、Ｋｃ＝１又はＫｃ＝Ｕａ／Ｕｃが、この補正値に対して成立する請求項１〜４のいずれか１項に記載の方法。
【請求項６】
・許容値ＣＡ＞０，ＣＢ＞０，ＣＣ＞０が、前記静電容量の比較に対して決定され、
・前記静電容量の比較の結果として、
｜Ｃ０ａ’−Ｃ０ａ｜≦ＣＡ及び｜Ｃ０ｂ’−Ｃ０ｂ｜≦ＣＢ及び｜Ｃ０ｃ’−Ｃ０ｃ｜≦ＣＣ
が成立する場合は、複数の前記コンデンサブッシング（２ａ，２ｂ，２ｃ）が正常な状態にあることを示す監視信号が生成される請求項１〜５のいずれか１項に記載の方法。
【請求項７】
・その他の場合は、少なくとも１つのコンデンサブッシングが正常な状態にないことを示す監視信号が生成される請求項６に記載の方法。
【請求項８】
・許容値ＣＡ＞０，ＣＢ＞０，ＣＣ＞０が、前記静電容量の比較に対して決定され、
・前記静電容量の比較の結果として、
Ｃ０ａ’−Ｃ０ａ＜−ＣＡ及びＣ０ｂ’−Ｃ０ｂ＞ＣＢ及び｜Ｃ０ｃ’−Ｃ０ｃ｜≦ＣＣが成立する場合は、少なくとも前記第２コンデンサブッシング（２ｂ）が正常な状態にないことを示す監視信号が生成され、
・前記静電容量の比較の結果として、
Ｃ０ｂ’−Ｃ０ｂ＜−ＣＢ及びＣ０ｃ’−Ｃ０ｃ＞ＣＣ及び｜Ｃ０ａ’−Ｃ０ａ｜≦ＣＡが成立する場合は、少なくとも前記第３コンデンサブッシング（２ｃ）が正常な状態にないことを示す監視信号が生成され、
・前記静電容量の比較の結果として、
Ｃ０ｃ’−Ｃ０ｃ＜−ＣＣ及びＣ０ａ’−Ｃ０ａ＞ＣＡ及び｜Ｃ０ｂ’−Ｃ０ｂ｜≦ＣＢが成立する場合は、少なくとも前記第１コンデンサブッシング（２ａ）が正常な状態にないことを示す監視信号が生成される請求項１〜７のいずれか１項に記載の方法。
【請求項９】
・その他の場合は、少なくとも２つのコンデンサブッシングが正常な状態にないことを示す監視信号が生成される請求項８に記載の方法。
【請求項１０】
・許容値ＣＡ＞０，ＣＢ＞０，ＣＣ＞０が、前記静電容量の比較に対して決定され、
・前記静電容量の比較の結果として、
Ｃ０ａ’−Ｃ０ａ＞ＣＡ及びＣ０ｂ’−Ｃ０ｂ＜−ＣＢ及び｜Ｃ０ｃ’−Ｃ０ｃ｜≦ＣＣが
成立する場合は、前記第１及び前記第３コンデンサブッシング（２ａ，２ｃ）が正常な状態になく、同じ欠陥を有することを示す監視信号が生成され、
・前記静電容量の比較の結果として、
Ｃ０ｂ’−Ｃ０ｂ＞ＣＢ及びＣ０ｃ’−Ｃ０ｃ＜−ＣＣ及び｜Ｃ０ａ’−Ｃ０ａ｜≦ＣＡが
成立する場合は、前記第２及び前記第１コンデンサブッシング（２ｂ，２ａ）が正常な状態になく、同じ欠陥を有することを示す監視信号が生成され、
・前記静電容量の比較の結果として、
Ｃ０ｃ’−Ｃ０ｃ＞ＣＣ及びＣ０ａ’−Ｃ０ａ＜−ＣＡ及び｜Ｃ０ｂ’−Ｃ０ｂ｜≦ＣＢが
成立する場合は、前記第３及び前記第２コンデンサブッシング（２ｃ，２ｂ）が正常な状態になく、同じ欠陥を有することを示す監視信号が生成される請求項１〜９のいずれか１項に記載の方法。
【請求項１１】
三相交流電源用のコンデンサブッシング（２ａ，２ｂ，２ｃ）を監視するための設備（１）であって、各コンデンサブッシング（２ａ，２ｂ，２ｃ）が、前記交流電源の複数の電力線（５ａ，５ｂ，５ｃ）のうちの１つの電力線に接続されている１つの導体（４）と、この導体（４）を包囲する導電性の１つの内層（３）とを有し、前記設備は、請求項１〜１０のいずれか１項に記載の方法を実行するために構成されていて、
・１つの測定装置（７）を有し、
・１つの第１電気測定変数（Ｕ１ａ，Ｕ１ｂ，Ｕ１ｃ）を検出するために、それぞれの相に属するコンデンサブッシング（２ａ，２ｂ，２ｃ）の前記内層（３）に接続され得、前記測定装置（７）に接続されている１つの測定アダプタ（６）を各相（Ｐａ，Ｐｂ，Ｐｃ）に対して有し、
・前記第１測定変数（Ｕ１ａ，Ｕ１ｂ，Ｕ１ｃ）を１つの評価装置（８）に伝送するために前記測定装置（７）に接続されているこの評価装置（８）を有し、
・前記評価装置（８）が、各コンデンサブッシング（２ａ）に対して、それぞれの前記測定電圧（Ｕ１ａ，Ｕ１ｂ，Ｕ１ｃ）とそれぞれの前記コンデンサブッシング（２ａ，２ｂ，２ｃ）の１つの下部静電容量（Ｃ１ａ，Ｃ１ｂ，Ｃ１ｃ）とによって決まり、且つ前記測定電圧（Ｕ１ｂ，Ｕ１ｃ，Ｕ１ａ）とその他の複数のコンデンサブッシング（２ｂ，２ｃ，２ａ）のうちの１つのコンデンサブッシングの１つの下部静電容量（Ｃ１ｂ，Ｃ１ｃ，Ｃ１ａ）及び１つの上部静電容量（Ｃ０ｂ，Ｃ０ｃ，Ｃ０ａ）とによって決まる実際の静電容量（Ｃ０ａ′，Ｃ０ｂ′，Ｃ０ｃ′）を計算できるように、この評価装置（８）は構成されていて、
・前記評価装置（８）が、各コンデンサブッシング（２ａ，２ｂ，２ｃ）に対して、それぞれの前記上部静電容量（Ｃ０ｂ，Ｃ０ｃ，Ｃ０ａ）をそれぞれの前記実際の静電容量（Ｃ０ａ′，Ｃ０ｂ′，Ｃ０ｃ′）と比較できるように、この評価装置（８）は構成されている当該設備（１）。
【請求項１２】
・各相に対して１つの電圧変換器（９ａ，９ｂ，９ｃ）を有し、この電圧変換器（９ａ，９ｂ，９ｃ）は、第２電気測定変数（Ｕａ，Ｕｂ，Ｕｃ）を検出するために前記それぞれの相に属する前記電力線（５ａ，５ｂ，５ｃ）に接続され得、前記電圧変換器（９ａ，９ｂ，９ｃ）は、前記第２測定変数（Ｕａ，Ｕｂ，Ｕｃ）を前記評価装置（８）に伝送するために前記評価装置（８）に接続されている請求項１１に記載の設備（１）。
【請求項１３】
・各電圧変換器（９ａ，９ｂ，９ｃ）が、静電容量式の電圧変換器として又は電磁誘導式の電圧変換器として又は抵抗式の電圧変換器として構成されている請求項１２に記載の設備（１）。
【請求項１４】
・前記測定装置（７）は、少なくとも１つの測定コンデンサ（ＫＭ１，ＫＭ２，ＫＭ３）を有する請求項１１〜１３のいずれか１項に記載の設備（１）。
【請求項１５】
・前記測定装置（７）は、３つの測定コンデンサ（ＫＭ１，ＫＭ２，ＫＭ３）を有し、
・各相において、１つの測定アダプタが、この測定アダプタに割り当てられた１つの測定コンデンサに接続されていて、
・これらの３つの測定コンデンサの静電容量は等しくない請求項１４に記載の設備（１）。
【請求項１６】
・前記３つの静電容量は、互いに１：２：３又は１：２：４又は１：２：５又は１：３：５又は１：３：７又は１：３：９又は１：４：７又は１：４：９の比である請求項１５に記載の設備（１）。
【請求項１７】
・複数の前記第１測定変数（Ｍ１）はそれぞれ、対応する前記相の１つの下部電圧コンデンサ（ＫＵ１，ＫＵ２，ＫＵ３）で発生する電圧（Ｕ１ａ，Ｕ１ｂ，Ｕ１ｃ）である請求項１１〜１６のいずれか１項に記載の設備（１）。
【請求項１８】
・複数の前記第２測定変数（Ｍ２）はそれぞれ、対応する前記電力線（５ａ，５ｂ，５ｃ）と接地電位（１３）との間に存在する電圧（Ｕａ，Ｕｂ，Ｕｃ）である請求項１１〜１７のいずれか１項に記載の設備（１）。
【請求項１９】
前記設備（１）は、請求項１〜１０のいずれか１項に記載の方法を実行するように構成されている請求項１１〜１８のいずれか１項に記載の設備（１）。
【請求項２０】
三相交流電源用のコンデンサブッシング（２ａ，２ｂ，２ｃ）を監視するための設備（１）であって、各コンデンサブッシング（２ａ，２ｂ，２ｃ）が、前記交流電源の複数の電力線（５ａ，５ｂ，５ｃ）のうちの１つの電力線に接続されている１つの導体（４）と、この導体（４）を包囲する導電性の１つの内層（３）とを有し、前記設備は、請求項１１〜１９のいずれか１項に記載の設備のように構成されている当該設備（１）において、
・手段が、各コンデンサブッシング（２ａ，２ｂ，２ｃ）で、それぞれの前記内層（３）と１つの接地電位（１３）との間に存在する測定電圧（Ｕ１ａ，Ｕ１ｂ，Ｕ１ｃ）を検出するように構成されているこの手段を有し、
・手段が、各コンデンサブッシング（２ａ）に対して、それぞれの前記測定電圧（Ｕ１ａ，Ｕ１ｂ，Ｕ１ｃ）とそれぞれの前記コンデンサブッシング（２ａ，２ｂ，２ｃ）の１つの下部静電容量（Ｃ１ａ，Ｃ１ｂ，Ｃ１ｃ）とによって決まり、且つ前記測定電圧（Ｕ１ｂ，Ｕ１ｃ，Ｕ１ａ）とその他の複数のコンデンサブッシング（２ｂ，２ｃ，２ａ）のうちの１つのコンデンサブッシングの１つの下部静電容量（Ｃ１ｂ，Ｃ１ｃ，Ｃ１ａ）及び１つの上部静電容量（Ｃ０ｂ，Ｃ０ｃ，Ｃ０ａ）とによって決まる実際の静電容量（Ｃ０ａ′，Ｃ０ｂ′，Ｃ０ｃ′）を計算するように構成されているこの手段を有し、
・手段が、各コンデンサブッシング（２ａ，２ｂ，２ｃ）に対して、それぞれの前記上部静電容量（Ｃ０ａ，Ｃ０ｂ，Ｃ０ｃ）をそれぞれの前記実際の静電容量（Ｃ０ａ′，Ｃ０ｂ′，Ｃ０ｃ′）と比較するように構成されているこの手段を有し、
・手段が、前記静電容量の比較の結果によって決まる監視信号を生成するように構成されているこの手段を有する当該設備（１）。
【請求項２１】
前記設備（１）は、
・手段が、各相（Ｐａ，Ｐｂ，Ｐｃ）の前記電源電圧（Ｕａ，Ｕｂ，Ｕｃ）を検出するように構成されているこの手段をさらに有し、
・手段が、当該複数の電源電圧（Ｕａ，Ｕｂ，Ｕｃ）を互いに比較するように構成されているこの手段をさらに有し、
・当該電圧の比較の結果として、当該複数の電源電圧（Ｕａ，Ｕｂ，Ｕｃ）が、既定の範囲（ＵＡＢ，ＵＢＣ，ＵＣＡ）から外れていない場合は、手段が、当該複数の実際の静電容量（Ｃ０ａ′，Ｃ０ｂ′，Ｃ０ｃ′）の計算、これらの静電容量（Ｃ０ａ，Ｃ０ｂ，Ｃ０ｃ，Ｃ０ａ′，Ｃ０ｂ′，Ｃ０ｃ′）の比較、及び前記監視信号の生成を指示又は実行するように構成されているこの手段をさらに有する請求項２０に記載の設備（１）。
【請求項２２】
設備（１）は、請求項１１〜１８のいずれか１項に記載の設備（１）のように構成されている請求項２０又は２１に記載の設備（１）。
【請求項２３】
前記設備（１）は、請求項１〜１０のいずれか１項に記載の複数の方法のうちの１つの方法を実行又は遂行し得るように構成されている請求項１１〜２２のいずれか１項に記載の設備（１）。
【発明の詳細な説明】
【技術分野】
【０００１】
本発明は、三相交流電源用のコンデンサブッシングを監視するための方法及び設備に関する。
【背景技術】
【０００２】
独国特許第１９５１９２３０号明細書は、高電圧仕様のコンデンサブッシング用の監視方法及び監視装置を記載している。当該コンデンサブッシングは、その複数のコンデンサ層間に部分電圧用のタップを有する。この公知の方法では、当該部分電圧が、この部分電圧の変化を監視する検出装置に供給されること、この部分電圧の変化とこの変化に対する時間情報とが記憶されること、少なくとも２つの変化の間の時間間隔が算出されること、及び、当該部分電圧の変化の頻度に対応する欠陥信号が生成されることが提唱されている。この公知の設備は、当該部分電圧の変化を監視する検出器、当該部分電圧の変化と当該部分電圧の変化に対する時間情報を格納する記憶器、少なくとも２つの変化の間の時間間隔を算出する演算器、及び欠陥信号を生成するための手段を有する。この場合、当該部分電圧の変化の頻度に比例する欠陥信号が生成される。当該タップが、測定の実行中に測定線を通じて当該検出器に接続されている。当該タップは、当該コンデンサブッシングの内部で発生する高電圧を示す部分電圧を提供する。
【０００３】
当該コンデンサブッシングで発生する高電圧は、測定信号に作用し、激しく変動し得るので、当該タップで検出された測定値は、激しく変動し得る。したがって、当該コンデンサブッシングの確実な監視が保証されない。
【０００４】
独国特許出願公開第１００３７４３２号明細書は、動作電圧によって印加されたコンデンサブッシングを監視するための方法及び装置を記載している。このコンデンサブッシングでは、分圧器が、１つの導電層によって形成されている。この公知の方法では、電気測定変数の少なくとも１つの測定値が、この導電層に接続されている測定タップとアース電位とを用いて検出され記憶されることが提唱されている。当該測定タップと当該アース電位との間のインピーダンスが、少なくとも１つの測定値の検出後に変更され、このときに生成された測定信号の少なくとも１つの信号値が、当該測定タップと当該アース電位とを用いて検出され記憶される。この場合、当該１つの測定値を検出する時点と当該１つの信号値を検出する時点との間の動作電圧の起こり得る変化が無視できるように、当該双方の時点間の時間間隔が規定されている。この場合、予め設定されている１つの目標値と比較される１つの特性変数が、この測定値とこの信号値とを除算することによって算出される。そしてこの場合、当該特性変数が、当該予め設定されている目標値から外れるときに、当該コンデンサブッシングの欠陥を示す表示信号が生成される。この公知の設備では、当該導電層に接続されている測定タップが設けられている。この測定タップは、電気測定変数を生成するための測定装置に接続されている。この場合、当該測定タップとアース電位との間に存在するインピーダンスが、インピーダンス装置を有する。切替装置が、このインピーダンス装置に付設されている。当該インピーダンス装置は、固体インピーダンスを有する。この固体インピーダンスは、切替装置によって当該測定タップに接続可能であり、当該測定タップから分離可能である。この切替装置は、制御装置に接続されている。当該コンデンサブッシングを監視するため、このインピーダンス装置は、最初は第１測定状態にある。この第１測定状態では、この切替装置が開かれていて、当該固体インピーダンスが、当該測定タップに接続されていない。この第１測定状態では、電気測定変数の１つの測定値が、第１時点に検出され、当該測定装置の記憶器内に記憶される。ここでは、この測定変数は、当該測定タップで当該アース電位に対して印加されている電圧である。当該インピーダンス装置のこの測定状態では、そのインピーダンスが、当該測定装置の静電容量と内部抵抗とから成る並列回路によって構成される。この測定状態にある当該インピーダンスは、一定インピーダンスと記される。当該インピーダンス装置は、当該測定変数の検出後に第２測定状態に移行される。このため、当該制御装置が、切替装置を制御して閉じられている状態に移行される。これにより、当該固体インピーダンスが、当該測定タップに導電性に接続されている。このとき、当該インピーダンスは、当該測定装置の静電容量及び内部抵抗と当該固定インピーダンスとの並列回路から構成される。この第２測定状態では、発生する測定信号の信号値が、当該測定装置によって第２時点に検出され、同様に記憶される。この測定信号は、当該測定タップでアース電位に対して印加される電圧である。この第２測定状態にある当該インピーダンスは、可変インピーダンスと記される。
【０００５】
当該コンデンサブッシングで発生する動作電圧が、当該測定信号に影響し、激しく変動し得るので、当該測定タップで検出された測定値が、激しく変動し得る。したがって、当該コンデンサブッシングの確実な監視が保証されない。
【０００６】
独国特許第３６０１９３４号明細書は、三相電源における大型の変圧器の場合の、それぞれが埋設された複数のコンデンサ層を有する巻線本体から成る３つのコンデンサブッシングと、最後の外側のコンデンサ層に接続されているそれぞれの１つの測定端子と、それぞれのコンデンサブッシングの最後の外側のコンデンサ層と接地されたフランジとの間の外側のフランジ静電容量とを備える、連続して監視するコンデンサブッシング装置を記載している。この公知のコンデンサブッシング装置では、３つのコンデンサブッシングの測定端子が、それぞれ１つの平衡コンデンサを介して、アース電位に設定可能である人工の１つのスターポイントに接続されていることが提唱されている。この場合、１つの測定値装置が、当該人口のスターポイントと当該アース電位との間に配置されている。この測定装置が、複数のコンデンサ層の静電容量の変化時に当該コンデンサブッシング装置の全体を遮断するトリガ装置に接続されていることが提唱されている。
【０００７】
米国特許出願公開第４７５７２６３号明細書は、静電容量値が、高電圧ブッシングの絶縁特性を監視するために測定されることを記載している。
【先行技術文献】
【特許文献】
【０００８】
【特許文献１】独国特許第１９５１９２３０号明細書
【特許文献２】独国特許出願公開第１００３７４３２号明細書
【特許文献３】独国特許第３６０１９３４号明細書
【特許文献４】米国特許出願公開第４７５７２６３号明細書
【発明の概要】
【発明が解決しようとする課題】
【０００９】
本発明の課題は、より良好な監視を可能にする、三相交流電源用のコンデンサブッシングを監視するための方法及び設備を提供することにある。
【課題を解決するための手段】
【００１０】
この課題は、独立請求項に記載の対象によって解決される。好適なその他の構成は、従属請求項に記載されている。
【００１１】
本発明は、第１の観点にしたがって三相交流電源用のコンデンサブッシングを監視するための方法を提唱する。この場合、各コンデンサブッシングが、当該交流電源の複数の電力線（電源線）のうちの１つの電力線に接続されている１つの導体と、この導体を包囲する導電性の１つの内層とを有する。当該方法は、
・各コンデンサブッシングに対して、上部静電容量Ｃ０ａ，Ｃ０ｂ，Ｃ０ｃと下部静電容量Ｃ１ａ，Ｃ１ｂ，Ｃ１ｃとを決定するステップと、
・各コンデンサブッシングで、それぞれの前記内層と１つの接地電位との間に存在する測定電圧Ｕ１ａ，Ｕ１ｂ，Ｕ１ｃを検出及び／又は測定するステップと、
・各コンデンサブッシングに対して、それぞれの前記測定電圧とそれぞれの前記下部静電容量とによって決まり、その他の複数のコンデンサブッシングのうちの１つのコンデンサブッシングの前記測定電圧と前記下部静電容量と前記上部静電容量とによって決まる実際の静電容量Ｃ０ａ′，Ｃ０ｂ′，Ｃ０ｃ′を計算するステップと、
・各コンデンサブッシングに対して、それぞれの前記上部静電容量をそれぞれの前記実際の静電容量と比較するステップと、
・当該複数の静電容量の比較によって決まる監視信号を生成するステップとを有する。
【００１２】
当該提唱されている方法では、複数のコンデンサブッシングの複数の上部静電容量とこれらのコンデンサブッシングの実際の静電容量とが、その動作中に互いに比較される。このことは、ここでは静電容量の比較とも記される。実際の静電容量が変化した場合、対応するコンデンサブッシングの損傷が推測され得る。
【００１３】
当該提唱されている方法は、その他のコンデンサブッシングの特性変数及び測定変数を実際の監視のために使用する。この場合、１つのコンデンサブッシングの測定変数と下部静電容量と上部静電容量と、その他の複数のコンデンサブッシングのうちの１つのコンデンサブッシングの測定変数と下部静電容量と上部静電容量とが使用される。したがって、１つのコンデンサブッシングに割り当てられた電力線に接続されているこのコンデンサブッシングの監視時に、それぞれの電力線に接続されているコンデンサブッシングを経由して当該測定電圧に伝達される、１つの電力線で発生する電源電圧の変動と、当該測定電圧の検出時の測定許容誤差とが、少なくとも部分的に補正され得、そのコンデンサブッシングの状態に関するより良好な情報が取得され得ることが達成される。
【００１４】
各コンデンサブッシングに対する上部静電容量が、必要に応じて任意に定義され得る、例えば、それぞれの内層とそれぞれの導体とによって構成され、ここでは上部電圧コンデンサと記されるコンデンサの静電容量として定義され得る。一般に、当該上部静電容量は、３００〜６００ｐＦの範囲内にある。
【００１５】
各コンデンサブッシングが、必要に応じて任意に形成され得、例えば少なくとも１つの追加の内層を有する。特に、当該追加の内層は、１つの内層と当該導体との間に配置されている。したがって、この１つの内層は、最も外側の内層を意味する。このとき、当該上部静電容量は、例えば、直列回路の静電容量としても定義され得る。当該直列回路は、隣接した２つの内層ごとに形成される複数のコンデンサと、当該追加の複数の内層のうちの最も内側の内層と当該導体とによって形成される１つのコンデンサとを有し、ここでも同様に上部電圧コンデンサと記される。
【００１６】
各コンデンサブッシングに対する下部静電容量が、必要に応じて任意に定義され得る、例えば、並列回路の静電容量として定義され得る。この並列回路は、１つの測定装置と１つのコンデンサとを有し、ここでは下部電圧コンデンサと記される。例えば当該それぞれの測定電圧が、当該１つの測定装置によって検出及び／又は測定され得る。当該１つのコンデンサは、当該それぞれの最も外側の内層と接地電位とによって形成される、又は当該それぞれの最も外側の内層と導電性の１つのフランジとによって形成され、ここでは外側コンデンサと記される。このフランジは、当該それぞれのコンデンサブッシングの外面に固定されていて、接地電位に印加されている。一般に、当該下部静電容量は、１〜５μＦの範囲内にある。しかし、当該下部静電容量は、必要に応じて別の値、例えば０．１μＦ〜５０μＦ又は０．２μＦ〜２０μＦ又は０．５μ〜１０μＦを有してもよい。この代わりに又はこれに加えて、これらの下部静電容量の各下部静電容量及びその他の複数の下部静電容量のうちの少なくとも１つの下部静電容量が、同じでもよく又は同じでなくてもよい。例えば、これらの下部静電容量は、互いに１：２：３又は１：２：４又は１：２：５又は１：３：５又は１：３：７又は１：３：９又は１：４：７又は１：４：９の比にあってもよい。
【００１７】
当該監視信号は、必要に応じて任意の種類及び方式で、例えば音響信号及び／又は光学信号及び／又は電子信号として生成され得る。
【００１８】
１つのコンデンサブッシングに対する上部静電容量の決定（検出）は、例えば、特に損傷していない若しくは欠陥のない１つのコンデンサブッシングを測定することによって、又はそのコンデンサブッシングのデータシートからデータを取り出すことによって、又は経験値を設定することによって、又は当該方法の先行するサイクルから受け取ることによって、必要に応じて任意の種類及び方式で実行され得る。この代わりに又はこれに加えて、少なくとも１つの上部静電容量の決定は、例えば、その他の複数の上部静電容量のうちの少なくとも１つの上部静電容量の決定の前に若しくは後に又は当該決定と同時に実行してもよいし、少なくとも１つの下部静電容量の決定の前に若しくは後に又は当該決定と同時に実行されてもよいし、少なくとも１つの測定電圧の決定の前に若しくは後に又は当該決定と同時に実行されてもよい。
【００１９】
１つのコンデンサブッシングに対する下部静電容量の決定は、例えば、特に損傷していない若しくは欠陥のない１つのコンデンサブッシングを測定することによって、又はそのコンデンサブッシングのデータシートからデータを取り出すことによって、又は経験値を設定することによって、又は当該方法の先行するサイクルから受け取ることによって、必要に応じて任意の種類及び方式で実行され得る。この代わりに又はこれに加えて、少なくとも１つの下部静電容量の決定は、例えば、その他の複数の下部静電容量のうちの少なくとも１つの下部静電容量の決定の前に若しくは後に又は当該決定と同時に実行してもよいし、及び／又は少なくとも１つの上部静電容量の決定の前に若しくは後に又は当該決定と同時に実行されてもよいし、及び／又は少なくとも１つの測定電圧の決定の前に若しくは後に又は当該決定と同時に実行されてもよい。
【００２０】
少なくとも１つの測定電圧の決定は、必要に応じて任意の種類及び方式で、例えば、その他の複数の測定電圧のうちの少なくとも１つの測定電圧の決定の前に若しくは後に又は好ましくは当該決定と同時に実行してもよいし、及び／又は少なくとも１つの上部静電容量の決定の前に若しくは後に又は当該決定と同時に実行されてもよいし、及び／又は少なくとも１つの下部静電容量の決定の前に若しくは後に又は当該決定と同時に実行されてもよい。
・各相に対して、電源電圧Ｕａ，Ｕｂ，Ｕｃが検出及び／又は測定され、
・これらの電源電圧が互いに比較され、
・当該電圧の比較の結果、これらの電源電圧が、既定の範囲から互いに外れていない場合は、当該実際の静電容量が計算され、これらの静電容量が比較され、監視信号が生成されることが提唱され得る。
【００２１】
ここでは電圧の比較とも記される当該複数の電源電圧のこの比較は、上記の実際の監視、すなわち実際の静電容量の計算と静電容量の比較と監視信号の生成とが非常に有益又は良好である時期が決定されることを可能にする。何故なら、当該実際の監視は、既定の範囲から互いに外れる電源電圧によって妨害されず又は阻止されず又は完全に不可能にされないからである。したがって、当該複数の電源電圧の変動と、当該複数の測定電圧の検出時の測定許容誤差とに関係なく、当該複数のコンデンサブッシングの状態に関するより良好な情報が取得され得ることが達成される。
【００２２】
例えば、非対称性とも記される電圧比の経時変化が、当該複数の電源電圧を考慮することによって検出され得る。したがって、コンデンサブッシングで測定された測定電圧の対応する偏差が、少なくとも部分的に補正され得る。したがって、コンデンサブッシングの確実な監視が、当該複数の電源電圧の偏差及びノイズを考慮し評価することで保証される。
【００２３】
当該少なくとも１つの電源電圧の検出は、必要に応じて任意の種類及び方式で実行され得る、例えば、その他の複数の電源電圧のうちの少なくとも１つの電源電圧の検出の前に若しくは後に又は好ましくは当該検出と同時に実行され得る、及び／又は少なくとも１つの上部静電容量の決定の後に若しくは当該決定と同時に又は好ましくは前に実行され得る、及び／又は少なくとも１つの測定電圧の検出の後に若しくは当該検出と同時に又は前に実行され得る。
【００２４】
当該電圧の比較は、必要に応じて任意の種類及び方式で実行され得る、例えば、少なくとも１つの上部静電容量の決定の後に若しくは当該決定と同時に又は好ましくは前に実行され得る、及び／又は少なくとも１つの下部静電容量の決定の後に若しくは当該決定と同時に又は好ましくは前に実行され得る、及び／又は少なくとも１つの測定電圧の検出の後に若しくは当該検出と同時に又は前に実行され得る。当該電圧の比較の結果、これらの電源電圧が、既定の範囲から互いに外れていない場合は、特に、上部静電容量が決定され、及び／又は、下部静電容量が決定され、及び／又は、測定電圧が検出され、最終的に、実際の静電容量が計算され、これらの静電容量が比較され、監視信号が生成される。
【００２５】
当該電圧の比較の結果、当該複数の電源電圧が、既定の範囲から互いに外れている場合は、実際の複数の静電容量の計算、これらの静電容量の比較、及び監視信号の生成は実行されないで、当該方法の新しいサイクルが実行される。このとき、特に、上部静電容量の決定及び／又は下部静電容量の決定及び／又は測定電圧の検出も実行されない。
【００２６】
当該監視信号の生成後に、特に、当該方法の新しいサイクル又は次のサイクル又は別のサイクルが実行される。
・前記電圧の比較時に、前記電源電圧Ｕａ，Ｕｂ，Ｕｃの実効値Ｕａｅ，Ｕｂｅ，Ｕｃｅ及び／又はピーク値及び／又は振幅が算出され及び／又は使用されることが提唱され得る。
・前記電圧の比較に対する許容値ＵＡＢ＞０，ＵＢＣ＞０，ＵＣＡ＞０が決定され、
・｜Ｕａｅ−Ｕｂｅ｜≦ＵＡＢ及び｜Ｕｂｅ−Ｕｃｅ｜≦ＵＢＣ及び｜Ｕｃｅ−Ｕａｅ｜≦ＵＣＡが成立するか否かが検査されるように、前記電圧の比較が実行されることが提唱され得る。
【００２７】
これらの許容値ＵＡＢ，ＵＢＣ，ＵＣＡの各許容値が、必要に応じて任意の種類及び方式で決定され得る、例えば、それぞれの電源電圧Ｕａｅ，Ｕｂｅ，Ｕｃｅの定格値の０．１％又は０．２％又は０．５％又は１％又は２％又は３％又は４％又は５％又は７％又は１０％又は１５％又は２０％又は２５％又は３０％又は４０％又は５０％に相当する値に設定され得る。これらの許容値の各許容値及びその他の複数の許容値のうちの少なくとも１つの許容値が、同じでもよく又は同じでなくてもよい。
・第１コンデンサブッシングの実際の静電容量が、以下の式にしたがって計算されることが提唱され得る。
【００２８】
【数１】
0006588906.tif 000002
【００２９】
ここで、Ｋａは、補正値であり、Ｋａ＝１又はＫａ＝Ｕｂ／Ｕａ又はＫａ＝Ｕｂｅ／Ｕａｅが、この補正値に対して成立する。及び／又は
・第２コンデンサブッシングの実際の静電容量が、以下の式にしたがって計算されることが提唱され得る。
【００３０】
【数２】
0006588906.tif 000003
【００３１】
ここで、Ｋｂは、補正値であり、Ｋｂ＝１又はＫｂ＝Ｕｃ／Ｕｂ又はＫｂ＝Ｕｃｅ／Ｕｂｅが、この補正値に対して成立する。及び／又は
・第３コンデンサブッシングの実際の静電容量が、以下の式にしたがって計算されることが提唱され得る。
【００３２】
【数３】
0006588906.tif 000004
【００３３】
ここで、Ｋｃは、補正値であり、Ｋｃ＝１又はＫｃ＝Ｕａ／Ｕｃ又はＫｃ＝Ｕａｅ／Ｕｃｅが、この補正値に対して成立する。
【００３４】
当該第２の選択肢、すなわち２つの電源電圧の除算が成立する１つの補正値は、当該２つの電源電圧間の非対称性及び／又は偏差の自動補正及び／又は自動補償を提供する及び／又は可能にする。これにより、対応する実際の静電容量のさらにより正確な算定が達成され得る。
【００３５】
これらの補正値の各補正値が、必要に応じて任意に選択され得る。当該複数の補正値ごとに、例えば第１の選択肢、すなわちＫａ＝Ｋｂ＝Ｋｃ＝１が選択される場合は、特に電圧の比較が、実際の監視の前に実行されなければならず、このとき、さらに好ましくは、許容値ＵＡＢ，ＵＢＣ，ＵＣＡの各許容値が、それぞれの電源電圧Ｕａｅ，Ｕｂｅ，Ｕｃｅの定格値の、例えば０．１％又は０．２％又は０．５％又は１％又は２％又は３％又は４％又は５％又は７％又は１０％に相当する、さらに小さい値に設定されなければならない。当該複数の補正値に対して、それぞれ第２の選択肢、すなわちＫａ＝Ｕｂ／Ｕａ及びＫｂ＝Ｕｃ／Ｕｂ及びＫｃ＝Ｕａ／Ｕｃが選択される場合は、必要に応じて、当該実際の監視の前の電圧の比較が省略され得る、又は、当該電圧の比較が、実際の監視の前に実行され、このとき、特に当該複数の許容値ＵＡＢ，ＵＢＣ，ＵＣＡの各許容値が、それぞれの電源電圧Ｕａｅ，Ｕｂｅ，Ｕｃｅの定格値の、例えば２％又は３％又は４％又は５％又は７％又は１０％又は１５％に相当する、さらにより大きい値に設定され得る。
【００３６】
当該少なくとも１つの実際の静電容量の計算は、必要に応じて任意の種類及び方式で実行され得る、例えば、その他の複数の実際の静電容量のうちの１つの実際の静電容量の計算の前に若しくは後に又は当該計算と同時に実行され得る。
・許容値ＣＡ＞０，ＣＢ＞０，ＣＣ＞０が、前記静電容量の比較に対して決定され、
・前記静電容量の比較の結果として、｜Ｃ０ａ’−Ｃ０ａ｜≦ＣＡ及び｜Ｃ０ｂ’−Ｃ０ｂ｜≦ＣＢ及び｜Ｃ０ｃ’−Ｃ０ｃ｜≦ＣＣが成立する場合は、当該複数のコンデンサブッシングが正常な状態にあることを示す監視信号が生成されることが提唱され得る。
【００３７】
したがって、当該複数の許容値の決定後に、当該複数の静電容量の比較が、ここでは第１評価又は第１評価ステップとも記される検査ステップで評価され、この第１評価ステップの結果によって決まる監視信号が生成される。
【００３８】
これらの許容値ＣＡ，ＣＢ，ＣＣの各許容値が、必要に応じて任意の種類及び方式で決定され得る、例えば、それぞれの上部静電容量Ｃ０ａ，Ｃ０ｂ，Ｃ０ｃ又は上部静電容量Ｃ０ａ，Ｃ０ｂ，Ｃ０ｃの平均値の０．００１％又は０．００２％又は０．００３％又は０．００４％又は０．００５％又は０．００７％又は０．０１％又は０．０１２％又は０．０１５％又は０．０２％に相当する値に設定され得る。この平均値は、必要に応じて任意に選択され得る、例えば算術平均又は幾何平均又は調和平均又は平方平均として選択され得る。これらの許容値の各許容値及びその他の複数の許容値のうちの少なくとも１つの許容値が、同じでもよく又は同じでなくてもよい。
・その他の場合は、少なくとも１つのコンデンサブッシングが正常な状態にないことを示す監視信号が生成されることが提唱され得る。
【００３９】
したがって、第１評価ステップが評価した結果として、検査された場合が存在しない場合は、この監視信号が生成される。
・許容値ＣＡ＞０，ＣＢ＞０，ＣＣ＞０が、前記静電容量の比較に対して決定され、
・前記静電容量の比較の結果として、Ｃ０ａ’−Ｃ０ａ＜−ＣＡ及びＣ０ｂ’−Ｃ０ｂ＞ＣＢ及び｜Ｃ０ｃ’−Ｃ０ｃ｜≦ＣＣが成立する場合は、少なくとも前記第２コンデンサブッシングが正常な状態にないことを示す監視信号が生成され、
・前記静電容量の比較の結果として、Ｃ０ｂ’−Ｃ０ｂ＜−ＣＢ及びＣ０ｃ’−Ｃ０ｃ＞ＣＣ及び｜Ｃ０ａ’−Ｃ０ａ｜≦ＣＡが成立する場合は、少なくとも前記第３コンデンサブッシングが正常な状態にないことを示す監視信号が生成され、
・前記静電容量の比較の結果として、Ｃ０ｃ’−Ｃ０ｃ＜−ＣＣ及びＣ０ａ’−Ｃ０ａ＞ＣＡ及び｜Ｃ０ｂ’−Ｃ０ｂ｜≦ＣＢが成立する場合は、少なくとも前記第１コンデンサブッシングが正常な状態にないことを示す監視信号が生成されることが提唱され得る。
【００４０】
したがって、当該複数の許容値の決定後に、前記複数の静電容量の比較が、４つの、第２評価又は第２評価ステップとも記される検査ステップで評価され、この第２評価ステップの結果によって決まる監視信号が生成される。これらの検査ステップの各検査ステップが、必要に応じて任意の種類及び方式で実行され得る、例えばその他の検査ステップのうちの少なくとも１つの検査ステップの前に若しくは後に又は当該検査ステップと同時に実行され得る。
【００４１】
これらの許容値ＣＡ，ＣＢ，ＣＣの各許容値が、必要に応じて任意の種類及び方式で実行され得る、例えば、それぞれの前記上部静電容量Ｃ０ａ，Ｃ０ｂ，Ｃ０ｃ又は前記上部静電容量Ｃ０ａ，Ｃ０ｂ，Ｃ０ｃの平均値の０．００１％又は０．００２％又は０．００３％又は０．００４％又は０．００５％又は０．００７％又は０．０１％又は０．０１２％又は０．０１５％又は０．０２％に相当する値に設定され得る。この平均値は、必要に応じて任意に選択され得る、例えば算術平均又は幾何平均又は調和平均又は平方平均として選択され得る。これらの許容値の各許容値及びその他の複数の許容値のうちの少なくとも１つの許容値が、同じでもよく又は同じでなくてもよい。許容値ＣＡ，ＣＢ，ＣＣが、例えば第１評価又は以下でさらに説明する第３評価に対して既に一度決定されてある場合は、これらの許容値ＣＡ，ＣＢ，ＣＣは、特にこの第２評価に対しても引き継げられ得る。
・その他の場合は、少なくとも２つのコンデンサブッシングが正常な状態にないことを示す監視信号が生成されることが提唱され得る。
【００４２】
したがって、第２評価ステップが評価した結果として、検査された場合が存在しない場合は、この監視信号が生成される。
・許容値ＣＡ＞０，ＣＢ＞０，ＣＣ＞０が、前記静電容量の比較に対して決定され、
・前記静電容量の比較の結果として、Ｃ０ａ’−Ｃ０ａ＞ＣＡ及びＣ０ｂ’−Ｃ０ｂ＜−ＣＢ及び｜Ｃ０ｃ’−Ｃ０ｃ｜≦ＣＣが成立する場合は、前記第１及び前記第３コンデンサブッシングが正常な状態になく、同じ欠陥を有することを示す監視信号が生成、
・前記静電容量の比較の結果として、Ｃ０ｂ’−Ｃ０ｂ＞ＣＢ及びＣ０ｃ’−Ｃ０ｃ＜−ＣＣ及び｜Ｃ０ａ’−Ｃ０ａ｜≦ＣＡが成立する場合は、前記第２及び前記第１コンデンサブッシングが正常な状態になく、同じ欠陥を有することを示す監視信号が生成され、
・前記静電容量の比較の結果として、Ｃ０ｃ’−Ｃ０ｃ＞ＣＣ及びＣ０ａ’−Ｃ０ａ＜−ＣＡ及び｜Ｃ０ｂ’−Ｃ０ｂ｜≦ＣＢが成立する場合は、前記第３及び前記第２コンデンサブッシングが正常な状態になく、同じ欠陥を有することを示す監視信号が生成されることが提唱され得る。
【００４３】
したがって、当該複数の許容値の決定後に、前記複数の静電容量の比較が、３つの、第３評価又は第３評価ステップとも記される検査ステップで評価され、この第３評価ステップの結果によって決まる監視信号が生成される。これらの検査ステップの各検査ステップが、必要に応じて任意の種類及び方式で実行され得る、例えばその他の検査ステップのうちの少なくとも１つの検査ステップの前に若しくは後に又は当該検査ステップと同時に実行され得る。
【００４４】
これらの許容値ＣＡ，ＣＢ，ＣＣの各許容値が、必要に応じて任意の種類及び方式で決定され得る、例えば、それぞれの上部静電容量Ｃ０ａ，Ｃ０ｂ，Ｃ０ｃ又は上部静電容量Ｃ０ａ，Ｃ０ｂ，Ｃ０ｃの平均値の０．００１％又は０．００２％又は０．００３％又は０．００４％又は０．００５％又は０．００７％又は０．０１％又は０．０１２％又は０．０１５％又は０．０２％に相当する値に設定され得る。この平均値は、必要に応じて任意に選択され得る、例えば算術平均又は幾何平均又は調和平均又は平方平均として選択され得る。これらの許容値の各許容値及びその他の複数の許容値のうちの少なくとも１つの許容値が、同じでもよく又は同じでなくてもよい。許容値ＣＡ，ＣＢ，ＣＣが、例えば第１評価又は第２評価に対して既に一度決定されてある場合は、これらの許容値ＣＡ，ＣＢ，ＣＣは、特にこの第２評価に対しても引き継げられ得る。
【００４５】
本発明は、第２の観点にしたがって三相交流電源用のコンデンサブッシングを監視するための設備を提唱する。この場合、各コンデンサブッシングが、当該交流電源の複数の電力線のうちの１つの電力線に接続されている１つの導体と、この導体を包囲する導電性の１つの内層とを有する。この場合、当該設備は、特に上記に提唱されている複数の方法のうちの１つの方法を実行するために構成されていて及び／又は適していて及び／又は使用され、
・１つの測定装置を有するか又は含み、
・１つの第１電気測定変数を検出し及び／又は測定するために、当該それぞれの相に属するコンデンサブッシングの内層に接続され得、当該測定装置に接続されている１つの測定アダプタを各相に対して有するか又は含み、
・当該第１測定変数を１つの評価装置に伝送するために当該測定装置に接続されている当該評価装置を有するか又は含む。
【００４６】
当該複数の第１測定変数を１つの評価装置内で一緒にすることによって、中央監視を提供すること、したがって全てのコンデンサブッシングの監視時の交流電源の全ての線における電源電圧の変動を検出することが可能である。したがって、これらのコンデンサブッシングの確実な監視が保証される。
【００４７】
当該第２の観点にしたがって提唱されるこの設備は、当該複数のコンデンサブッシングの連続する監視を可能にする。
【００４８】
上記に提唱されている複数の方法のうちの、例えば１つの方法が、当該第２の観点にしたがって提唱されている設備によって実行され得る。
【００４９】
当該第２の観点にしたがって提唱されている設備は、必要に応じて任意の種類及び方式で構成され得る、例えば少なくとも１つの別の測定装置及び／又は少なくとも１つの別の測定アダプタ及び／又は少なくとも１つの別の評価装置を有してもよい。例えば、固有の１つの測定装置及び／又は固有の１つの評価装置が、各測定アダプタに対して設けられ得る。この代わりに、当該測定装置が、共通の測定装置として少なくとも２つの測定アダプタに対して又は全ての測定アダプタに対して構成されてもよい。
【００５０】
当該評価装置は、必要に応じて任意の種類及び方式で構成され得る、例えば共通の評価装置として少なくとも２つの測定装置に対して又は全ての測定アダプタに対して構成され得る。この代わりに又はこれに加えて、当該評価装置は、例えば、１つの上位評価装置と各相に対して固有の１つの下位評価装置とを有してもよい。当該固有の１つの下位評価装置は、当該それぞれの相に属する測定装置と当該上位評価装置とに接続されている。
【００５１】
当該電力線は、必要に応じて任意の種類及び方式で構成され得る、例えば高電圧線として構成され得る。
【００５２】
好ましくは、当該第２の観点にしたがって提唱されている設備が、上記に提唱されている複数の方法のうちの１つの方法及び／又は複数の方法を実行できるように、当該設備は構成されている。
【００５３】
当該第２の観点にしたがって提唱されている設備が、各相に対して１つの電圧変換器を有するか又は含むことが提唱され得る。
・当該電圧変換器は、第２電気測定変数を検出及び／又は測定するために当該それぞれの相に属する電力線に接続され得る。そして当該電圧変換器は、当該第２測定変数を当該評価装置に伝送するために当該評価装置に接続されている。
【００５４】
当該電圧変換器を用いて当該電力線で検出される当該第２測定変数を使用することによって、例えば過渡現象又は非対称性のような、当該電源電圧の経時変化及び／又は変動及び／又は当該電源電圧の比の経時変化及び／又は変動が、検出及び／又は識別され得、例えば当該第１測定変数と比較され得る、及び／又は当該第１測定変数の経時変化及び／又は変動と比較され得る。したがって、当該電源電圧の変化及び／又は変動を考慮及び／又は評価したコンデンサブッシングの確実な監視が保証される。
【００５５】
当該評価装置は、必要に応じて任意の種類及び方式で構成され得る、例えば共通の評価装置として少なくとも２つの測定装置に対して又は全ての測定装置に対して及び／又は少なくとも２つの電圧変換器に対して又は全ての電圧変換器に対して構成され得る。この代わりに又はこれに加えて、当該評価装置は、例えば、１つの上位評価装置と各相に対して固有の１つの下位評価装置とを有してもよい。当該固有の１つの下位評価装置は、当該それぞれの相に属する測定装置と当該それぞれの相に属する電圧変換器と当該上位評価装置とに接続されている。
・各電圧変換器が、静電容量式の電圧変換器として又は電磁誘導式の電圧変換器として又は抵抗式の電圧変換器として構成されていることが提唱され得る。
【００５６】
各電圧変換器は、必要に応じて任意の種類及び方式で構成され得るか及び／又は適切な異なる原理によって構成され得る。各電圧変換器は、例えば電磁誘導式に及び／又は静電容量式に及び／又は抵抗式に構成され得るか及び／又は電磁誘導式及び／又は静電容量式及び／又は抵抗式の構成要素及び／又は構成部品を有してもよい。好ましくは、各電圧変換器は、直列に接続されている２つのコンデンサを有する静電容量式の１つの分圧器と、変圧器として電磁誘導式に電気絶縁するために接続されている２つのコイル又は巻線とを備える。
・当該１つの測定装置又は当該複数の測定装置のうちの少なくとも１つの測定装置が、少なくとも１つの測定コンデンサを有することが提唱され得る。
【００５７】
当該複数の測定コンデンサのうちの少なくとも１つの測定コンデンサの静電容量は、特に、当該それぞれの外側コンデンサの静電容量よりも複数倍だけ大きい。
【００５８】
一般に、当該測定コンデンサの静電容量は、１〜５μＦである。しかし、当該静電容量は、必要に応じて別の値を有してもよく、例えば０．１μＦ〜５０μＦ又は０．２μＦ〜２０μＦ又は０．５μＦ〜１０μＦである。
【００５９】
当該測定コンデンサの静電容量は、必要に応じて任意に選択され得る。したがって、例えば、各相において、１つの測定アダプタが、この測定アダプタだけに割り当てられている固有の１つの測定コンデンサに接続されていて、これらの３つの測定コンデンサが、共通の１つの測定装置内に統合されているか又はこれらの測定アダプタに割り当てられている固有の３つの測定装置に配分されている場合は、これらの３つの測定コンデンサの静電容量は同じでもよく、又は、これらの静電容量のうちの２つの静電容量が同じであり、第３の静電容量が同じでもよく、又は、全ての３つの静電容量が同じでなくてもよい。これらの３つの静電容量は、互いに、例えば１：２：３又は１：２：４又は１：２：５又は１：３：５又は１：３：７又は１：３：９又は１：４：７又は１：４：９の比であってもよい。
・当該複数の第１測定変数はそれぞれ、当該それぞれの相の下部電圧コンデンサで発生する電圧であることが提唱され得る。
【００６０】
各下部電圧コンデンサは、必要に応じて任意に構成され得、例えば、ここでは下部静電容量と記される静電容量は、０．１μＦ〜５０μＦ又は０．２μＦ〜２０μＦ又は０．５μＦ〜１０μＦ又は１μＦ〜５μＦである。この代わりに又はこれに加えて、これらの下部静電容量の各下部静電容量とその他の下部静電容量のうちの少なくとも１つの下部静電容量とが、同じでもよく又は同じでなくてもよい。例えば、互いに、例えば１：２：３又は１：２：４又は１：２：５又は１：３：５又は１：３：７又は１：３：９又は１：４：７又は１：４：９の比であってもよい。
・当該複数の第２測定変数はそれぞれ、当該それぞれの電力線と接地電位との間に存在する電圧であることが提唱され得る。
【００６１】
これらの電圧は、ここでは電源電圧とも記される。
・当該評価装置が、各コンデンサブッシングに対して、当該それぞれの測定電圧と当該それぞれのコンデンサブッシングの下部静電容量とによって決まり、且つ当該測定電圧とその他の複数のコンデンサブッシングのうちの１つのコンデンサブッシングの下部静電容量及び上部静電容量とによって決まる実際の静電容量を計算できるように、この評価装置は構成されていることが提唱され得る。
・当該評価装置が、各コンデンサブッシングに対して、当該それぞれの上部静電容量を当該それぞれの実際の静電容量と比較できるように、この評価装置は構成されていることが提唱され得る。
【００６２】
本発明は、第３の観点にしたがって三相交流電源用のコンデンサブッシングを監視するための設備を提唱する。この場合、各コンデンサブッシングが、当該交流電源の複数の電力線のうちの１つの電力線に接続されている１つの導体と、この導体を包囲する導電性の１つの内層とを有する。この場合、当該設備は、特に上記の第２の観点にしたがって提唱されている複数の設備のうちの１つの設備のように構成されていて、
・手段が、各コンデンサブッシングで、当該それぞれの内層と接地電位との間に存在する測定電圧Ｕ１ａ，Ｕ１ｂ，Ｕ１ｃを検出及び／又は測定するように構成されている当該手段、及び／又は当該検出及び／又は測定をするために使用される当該手段、及び／又は当該検出及び／又は測定のために適する当該手段を有するか又は含み、
・手段が、各コンデンサブッシングに対して、当該それぞれの測定電圧Ｕ１ａ，Ｕ１ｂ，Ｕ１ｃと当該それぞれのコンデンサブッシングの下部静電容量Ｃ１ａ，Ｃ１ｂ，Ｃ１ｃとによって決まり、且つ当該測定電圧Ｕ１ｂ，Ｕ１ｃ，Ｕ１ａとその他の２つのコンデンサブッシングのうちの１つのコンデンサブッシングの下部静電容量Ｃ１ｂ，Ｃ１ｃ，Ｃ１ａ及び上部静電容量Ｃ０ｂ，Ｃ０ｃ，Ｃ０ａとによって決まる実際の静電容量Ｃ０ａ′，Ｃ０ｂ′，Ｃ０ｃ′を計算するように構成されている当該手段、及び／又は当該計算をするために使用される当該手段、及び／又は当該計算のために適する当該手段を有するか又は含み、
・手段が、各コンデンサブッシングに対して、当該それぞれの上部静電容量Ｃ０ａ，Ｃ０ｂ，Ｃ０ｃを当該それぞれの実際の静電容量Ｃ０ａ′，Ｃ０ｂ′，Ｃ０ｃ′と比較するように構成されている当該手段、及び／又は当該比較をするために使用される当該手段、及び／又は当該比較のために適する当該手段を有するか又は含み、
・手段が、当該複数の静電容量の比較によって決まる監視信号を生成するように構成されている当該手段、及び／又は当該生成をするために使用される当該手段、及び／又は当該生成のために適する当該手段を有するか又は含む。
【００６３】
当該複数の測定電圧を検出するために、これらの測定電圧を当該複数の手段内で一緒にすることによって、中央監視を提供すること、したがって全てのコンデンサブッシングの監視時の交流電源の全ての線における電源電圧の変動を検出することが可能である。したがって、これらのコンデンサブッシングの確実な監視が保証される。
【００６４】
当該第３の観点にしたがって提唱されているこの設備は、当該複数のコンデンサブッシングの上部静電容量と当該上部静電容量の実際の静電容量とをその動作中に互いに比較し得る。このことは、ここでは複数の静電容量の比較とも記される。実際の静電容量が変化する場合、対応するコンデンサブッシングの損傷が推測され得る。
【００６５】
当該第３の観点にしたがって提唱されているこの設備は、当該複数のコンデンサブッシングの連続する監視を可能にする。
【００６６】
上記に提唱されている複数の方法のうちの、例えば１つの方法が、当該第３の観点にしたがって提唱されているこの設備によって実行され得る。
【００６７】
当該第３の観点にしたがって提唱されているこの設備は、例えば第２の観点にしたがって提唱されている複数の設備のうちの１つの設備のように、必要に応じて任意に構成され得る。
【００６８】
当該測定電圧を検出するための手段は、必要に応じて任意に構成され得る、例えば当該実際の静電容量の静電容量を計算するための手段及び／又は当該複数の静電容量を比較するための手段に接続され得、及び／又は１つの測定装置を有し、及び／又は各相に対して１つの測定アダプタを有する。この測定アダプタは、当該それぞれの測定電圧を検出及び／又は測定するために、当該それぞれの相に属するコンデンサブッシングの内層に接続され得、この測定装置に接続されている。
【００６９】
当該実際の静電容量を計算するための手段は、任意に構成され得る、例えば当該測定電圧を検出するための手段及び／又は当該複数の静電容量を比較するための手段に接続され得、及び／又は当該測定電圧を当該評価装置に伝送するために、当該測定装置に接続されている１つの評価装置を有する。
【００７０】
例えば、固有の１つの測定装置及び／又は固有の１つの評価装置は、各測定アダプタに対して設けられ得る。この代わりに、当該測定装置は、共通の測定装置として少なくとも２つ又は全ての測定アダプタに対して構成され得る。
【００７１】
当該複数の静電容量を比較するための手段は、必要に応じて任意に構成され得る、例えば測定電圧を検出するための手段及び／又は実際の静電容量を計算するための手段に接続され得る、及び／又は、当該評価装置は、実際の静電容量を計算するための手段及び／又は固有の１つの評価装置を有し、及び／又は実際の静電容量を計算するための手段と一緒に共通の１つの手段に統合され得るか又は組み合わせされ得るか、又は実際の静電容量を計算するための手段によって実現され得るか、又は実際の静電容量を計算するための手段内に含み得るか、又は実際の静電容量を計算するための手段を含み得る。
【００７２】
当該監視信号を生成するための手段は、必要に応じて任意に構成され得る、例えば、静電容量を比較するための手段に接続され得る、及び／又は少なくとも１つの音響信号送信器及び／又は少なくとも１つの光学信号送信器及び／又は少なくとも１つの電子信号送信器を有し得る、及び／又は実際の静電容量を計算するための手段内に含み得る、及び／又は複数の静電容量を比較するための手段内に含み得る。
【００７３】
当該第３の側面にしたがって提唱されている設備は、
・手段が、各相の電源電圧Ｕａ，Ｕｂ，Ｕｃを検出及び／又は測定するように構成されている当該手段、及び／又は当該検出及び／又は測定をするために使用される当該手段、及び／又は当該検出及び／又は測定のために適する当該手段をさらに有するか又は含み、
・手段が、当該複数の電源電圧を互いに比較するように構成されている当該手段、及び／又は当該比較をするために使用される当該手段、及び／又は当該比較のために適する当該手段をさらに有するか又は含み、
・当該電圧の比較の結果として、電源電圧Ｕａ，Ｕｂ，Ｕｃが、既定の範囲ＵＡＢ，ＵＢＣ，ＵＣＡから外れていない場合は、手段が、実際の静電容量の計算、これらの静電容量の比較及び監視信号の生成を指示又は実行又は遂行又は開始するように構成されている当該手段、及び／又は当該指示又は実行又は遂行又は開始をするために使用される当該手段、及び／又は当該指示又は実行又は遂行又は開始のために適する当該手段をさらに有するか又は含むことが提唱され得る。
【００７４】
当該電源電圧を使用することによって、例えば過渡現象又は非対称性のような、当該電源電圧の経時変化及び／又は変動が、検出及び／又は識別され得、例えば当該測定電圧と比較され得る、及び／又は当該測定電圧の経時変化及び／又は変動と比較され得る。したがって、当該電源電圧の変化及び／又は変動を考慮及び／又は評価したコンデンサブッシングの確実な監視が保証される。
【００７５】
ここでは電圧の比較とも記される当該複数の電源電圧のこの比較は、上記の実際の監視、すなわち実際の静電容量の計算と静電容量の比較と監視信号の生成とが非常に有益又は良好である時期が決定されることを可能にする。何故なら、当該実際の監視は、既定の範囲から互いに外れる電源電圧によって妨害されず又は阻止されず又は完全に不可能にされないからである。したがって、当該複数の電源電圧の変動と、当該複数の測定電圧の検出時の測定許容誤差とに関係なく、当該複数のコンデンサブッシングの状態に関するより良好な情報が取得され得ることが達成される。
【００７６】
例えば、非対称性とも記される電圧比の経時変化が、当該複数の電源電圧を考慮することによって検出され得る。したがって、コンデンサブッシングで測定された測定電圧の対応する偏差が、少なくとも部分的に補正され得る。したがって、コンデンサブッシングの確実な監視が、当該複数の電源電圧の偏差及びノイズを考慮し評価することで保証される。
【００７７】
上記の実際の静電容量の計算の指示、静電容量の比較の指示及び監視の指示をするための手段は、ここでは略記して指示するための手段とも記される。
【００７８】
上記の電源電圧を検出するための手段は、必要に応じて任意に構成され得る、例えば当該電圧を比較するための手段に接続され得、及び／又は各相に対して１つの電圧変圧器を有する。この電圧変圧器は、当該それぞれの測定電圧を検出及び／又は測定するために、当該それぞれの相に属する電力線に接続され得る。当該手段は、例えば、実際の静電容量を計算するための手段及び／又は複数の静電容量を比較するための手段にさらに接続され得る。
【００７９】
上記の電圧を比較するための手段は、必要に応じて任意に構成され得る、例えば電源電圧を検出するための手段及び／又は当該指示のための手段に接続され得る、及び／又は、評価装置が、実際の静電容量を計算するための手段に接続され得る、及び／又は、評価装置が、静電容量を比較するための手段に接続され得る、及び／又は、上記の電圧を比較するための手段は、電源電圧を検出するための手段及び／又は電圧変換器に接続されている固有の１つの評価装置を有する。上記の電圧を比較するための手段は、例えば実際の静電容量を計算するための手段及び／又は静電容量を比較するための手段にさらに接続され得る。この代わりに又はこれに加えて、上記の電圧を比較するための手段は、実際の静電容量を計算するための手段及び／又は静電容量を比較するための手段及び／又は当該指示のための手段と一緒に、共通の１つの手段に統合され得るか又は組み合わせされ得るか、又は実際の静電容量を計算するための手段及び／又は静電容量を比較するための手段及び／又は当該指示のための手段によって実現され得るか、又は実際の静電容量を計算するための手段及び／又は静電容量を比較するための手段及び／又は当該指示のための手段内に含められ得るか、又は実際の静電容量を計算するための手段及び／又は静電容量を比較するための手段及び／又は当該指示のための手段を含み得る。
【００８０】
上記の指示のための手段は、必要に応じて任意に構成され得る、例えば電圧を比較するための手段及び／又は実際の静電容量を計算するための手段及び／又は静電容量を比較するための手段及び／又は監視信号の生成するための手段に接続され得る、及び／又は、評価装置が、電圧を比較するための手段に接続され得る、及び／又は、評価装置が、実際の静電容量を計算するための手段に接続され得る、及び／又は、評価装置が、静電容量を比較するための手段に接続され得る、及び／又は、上記の指示のための手段は、電圧を比較するための手段及び／又は実際の静電容量を計算するための手段及び／又は静電容量を比較するための手段及び／又は監視信号の生成するための手段に接続されている固有の１つの評価装置を有する。この代わりに又はこれに加えて、上記の指示のための手段は、電圧を比較するための手段及び／又は実際の静電容量を計算するための手段及び／又は静電容量を比較するための手段及び／又は監視信号の生成するための手段と一緒に、共通の１つの手段に統合され得るか又は組み合わせされ得るか、又は電圧を比較するための手段及び／又は実際の静電容量を計算するための手段及び／又は静電容量を比較するための手段によって実行され得るか、又は電圧を比較するための手段及び／又は実際の静電容量を計算するための手段及び／又は静電容量を比較するための手段内に含められ得るか、又は電圧を比較するための手段及び／又は実際の静電容量を計算するための手段及び／又は静電容量を比較するための手段を含み得る。
・上記に提唱されている複数の設備のうちの各設備が、上記に提唱されている複数の方法のうちの１つの方法を実行し得るように、当該各設備は、構成されていて及び／又は当該実行のために使用され及び／又は当該実行に適する。
【００８１】
上記の第１の観点にしたがって提唱されているそれぞれの方法と、上記の第２又は第３の観点にしたがって提唱されているそれぞれの設備は、比較的大きい測定許容誤差及び／又は測定精度を有し、特に同じ公差等級及び／又は精度等級に属され、特に同一に構成されている電圧変換器の使用を可能にする。
【００８２】
これに応じて、本発明の複数の観点のうちの１つの観点に対する、特にこの観点の個々の特徴に対する記述及び説明は、本発明のその他の観点に対しても成立する。
【００８３】
以下に、本発明の実施の形態を、添付図面に基づいて詳しく説明する。しかしながら、これらに起因する個々の特徴は、個々の実施の形態に限定されないで、上記の個々の特徴とさらに結合及び／又は組み合わせされてもよく、及び／又はその他の実施の形態の個々の特徴と結合及び／又は組み合わせされてもよい。図面中の詳細は、説明にすぎず、限定するものと解釈すべきでない。特許請求の範囲に記載されている符号は、本発明の保護範囲を限定するものではなくて、図面中に示された実施の形態だけを示すものである。
【図面の簡単な説明】
【００８４】
【図１】三相交流電源用のコンデンサブッシングを監視するための設備の実施の形態を示す。
【図２】図１の設備の一部を示す。
【図３】上部電圧コンデンサと下部電圧コンデンサとから構成される等価回路を示す。
【図４】三相交流電源用のコンデンサブッシングを監視するための方法の実施の形態のフローチャートである。
【発明を実施するための形態】
【００８５】
図１には、三相交流電源用のコンデンサブッシング２ａ，２ｂ，２ｃを監視するための設備１の実施の形態が概略的に示されている。この実施の形態では、コンデンサブッシング２ａ，２ｂ，２ｃが、ここでは図示されない変圧器に属する。当該変圧器は、ここでは例えば高電圧変圧器である。このようなコンデンサブッシング２ａ，２ｂ，２ｃは、例えば、数ｋＶから数１０００ｋＶまでの範囲内の高い電圧で使用される。当該交流電源は、例えば高電圧電源である。当該３つのコンデンサブッシング２ａ，２ｂ，２ｃの各コンデンサブッシングが、当該交流電源の３つの相Ｐａ，Ｐｂ，Ｐｃの１つの相に割り当てられていて、１つの導体４と導電性の複数の内層とを有する。この導体４は、当該交流電源のそれぞれの電力線５ａ，５ｂ，５ｃに接続されている。これらの内層は、この導体４を複数の層又はフィルム状に包囲し、これらの内層４のうちの最も外側の内層３だけが示されている。
【００８６】
設備１は、評価装置８を有し、各相Ｐａ，Ｐｂ，Ｐｃに対して測定装置７と測定アダプタ６とを有する。それぞれの相Ｐａ，Ｐｂ，Ｐｃに対する第１電気測定変数を検出するため、測定アダプタ６は、当該それぞれの相に属するコンデンサブッシング２ａ，２ｂ，２ｃの内層３に接続されていて、且つそれぞれの相Ｐａ，Ｐｂ，Ｐｃに接続されている。これらの第１測定変数は、ここでは電圧である。当該電圧は、さらに以下で説明されていて且つ図３に示された、それぞれの相Ｐａ，Ｐｂ，Ｐｃの下部電圧コンデンサＫＵ１，ＫＵ２，ＫＵ３に印加されていて、ここでは測定電圧Ｕ１ａ，Ｕ１ｂ，Ｕ１ｃとも記される。評価装置８は、測定電圧Ｕ１ａ，Ｕ１ｂ，Ｕ１ｃをこの評価装置８に伝達するために各測定装置７に接続されていて、したがって全ての測定装置７に対する共通の１つの評価装置８を構成する。
【００８７】
この実施の形態では、それぞれの相Ｐａ，Ｐｂ，Ｐｃに対する第２電気測定変数を検出するため、設備１は、各相Ｐａ，Ｐｂ，Ｐｃごとに、それぞれの電力線５ａ，５ｂ，５ｃに接続されている電圧変換器９ａ，９ｂ，９ｃをさらに有する。これらの第２測定変数は、ここでは電圧である。これらの電圧はそれぞれ、それぞれの電力線５ａ，５ｂ，５ｃと接地電位１３とに印加されていて、ここでは電源電圧Ｕａ，Ｕｂ，Ｕｃとも記される。評価装置８は、電源電圧Ｕａ，Ｕｂ，Ｕｃをこの評価装置８に伝達するために各電圧変換器９ａ，９ｂ，９ｃに接続されていて、したがって全ての電圧変換器９ａ，９ｂ，９ｃに対する共通の１つの評価装置８を構成する。
【００８８】
評価装置８が、コンデンサブッシング２ａ，２ｂ，２ｃの監視時に電力線５ａ，５ｂ，５ｃ上の電源電圧Ｕａ，Ｕｂ，Ｕｃの非対称性及び／又は変動を監視するという可能性が、設備１によって提供される。
【００８９】
図２には、設備１の、第１相Ｐａに割り当てられている第１部分が詳しく示されている。設備１の、第２相Ｐｂに割り当てられた第２部分と第３相ｃに割り当てられた第３部分とが、この第１部分に同様に対応する。その結果、当該第１部分に対する説明及び解説はそれぞれ、これらの双方の別の部分に対しても同様に成立する。
【００９０】
第１相Ｐａに割り当てられたコンデンサブッシング２ａが、絶縁本体１１を有する。導体４が、この絶縁本体１１の内側に敷設されている。この導体４は、その上端部でそのコンデンサブッシング２ａに割り当てられた電力線５ａに接触し、その下端部でここでは図示されない高電圧変圧器の巻線に接触する。導電性の複数の内層が、絶縁本体１１内に埋設されている。これらの内層は、ここでは最も外側の内層３だけによって示されていて、電気的に見て複数のコンデンサから成る直列回路を構成する。この直列回路は、隣接した２つの内層によってそれぞれ形成された複数のコンデンサと、ここでは図示されない最も内側の内層と導体４とによって形成される１つのコンデンサとを有する。最も外側の内層３と導体４との間の複数のコンデンサから成るこの直列回路は、各コンデンサブッシング２ａ，２ｂ，２ｃに対する等価回路として、上部静電容量Ｃ０ａ，Ｃ０ｂ，Ｃ０ｃと記される静電容量を有する、対応する１つの上部電圧コンデンサＫＯ１，ＫＯ２，ＫＯ３を構成する。
【００９１】
アース電位又は接地電位１３にされている導電性のフランジ１２が、コンデンサブッシング２ａに配置されている。このフランジ１２は、コンデンサブッシング２ａを固定及び／又は保護するために使用される。最も外側の内層３が、フランジ１２及び接地電位１３と一緒に、各コンデンサブッシング２ａ，２ｂ，２ｃに対する等価回路として、静電容量ＣＡ１，ＣＡ２，ＣＡ３を有する、対応する外側コンデンサＫＡ１，ＫＡ２，ＫＡ３を構成する。
【００９２】
測定アダプタ６が、絶縁本体１１を貫通し、最も外側の内層３に向かう導電性の結合部を生成する。測定電圧Ｕ１ａを検出し、評価装置８に伝達できるようにするため、この測定アダプタ６は、それぞれの測定装置７を介して評価装置８に導電性に接続されている。この実施の形態では、各測定装置７が、接地電位１３に接続されている、静電容量ＣＭ１，ＣＭ２，ＣＭ３を有する１つの測定コンデンサＫＭ１，ＫＭ２，ＫＭ３を備える。当該測定装置７は、必要に応じて、それぞれの測定コンデンサＫＭ１，ＫＭ２，ＫＭ３に対して並列に接続されている図示されない無線伝送路、及び／又はそれぞれの測定コンデンサＫＭ１，ＫＭ２，ＫＭ３に対して並列に接続されている過電圧保護装置７′をさらに有してもよい。
【００９３】
評価装置８は、電圧変換器９ａを介して電力線５ａに導電性に接続されている。電力線５ａと接地電位１３との間に存在する電圧Ｕａが、この接続によって検出される。この実施の形態では、電圧変換器９ａは、静電容量型電圧変換器として構成されていて、直列に接続された２つのコンデンサＫ１，Ｋ２を有する静電容量式分圧器と、電磁誘導式に電気絶縁するための変圧器として接続されている２つのコイル又は巻線Ｗ１，Ｗ２とを備える。
【００９４】
設備１が、三相交流電源用のコンデンサブッシングを監視するための方法を実行するのに、この設備１は適し、及び／又は、設備１が、三相交流電源用のコンデンサブッシングを監視するための方法を実行するように、この設備１は構成され得る。以下に、このような方法の実施の形態をさらに説明する。
【００９５】
図３には、それぞれの下部電圧コンデンサＫＵ１とそれぞれの上部電圧コンデンサＫＯ１とから構成される等価回路が、第１相Ｐａに対して概略的に示されている。それぞれの測定コンデンサＫＭ１と外側コンデンサＫＡ１とを有する並列回路が、下部静電容量Ｃ１を有する下部電圧コンデンサＫＵ１を構成する。それ故に、この静電容量Ｃ１は、複数のコンデンサから成る直列回路に対する既知の式を用いて、測定コンデンサＫＭ１の静電容量ＣＭ１と外側コンデンサＫＡ１の静電容量ＣＡ１とから容易に計算され得る。必要に応じて、当該並列回路は、測定コンデンサＫＭ１の代わりに、それぞれの測定装置７の全体を有してもよく、及び／又は評価装置８をさらに有してもよい。その結果、このとき、静電容量ＣＡ１が、静電容量ＣＭ１によって決まる測定装置７のインピーダンスと静電容量ＣＡ１と評価装置８のインピーダンスとから計算される必要がある。
【００９６】
測定電圧Ｕ１ａが、上述したように、下部電圧コンデンサＫＵ１に発生し、下部電圧コンデンサＫＵ１と上部電圧コンデンサＫＯ１との間の接続線又は接続点で測定され、接地電位１３に対して印加されている。電源電圧Ｕａが、上部電圧コンデンサＫＯ１と下部電圧コンデンサＫＵ１とから構成される直列回路上で降下する。
【００９７】
図４には、三相交流電源用のコンデンサブッシング２ａ，２ｂ，２ｃを監視するための方法の実施の形態のフローチャートが概略的に示されている。この方法は、例えば図１の設備１によって及び／又は図１の設備１を使って実行され得る。
【００９８】
この実施の形態では、当該方法は、設備１並びに図１及び図２に関して説明される以下の複数のステップを有する：
ステップ１０１：方法の開始。
【００９９】
ステップ１０２：上部静電容量Ｃ０ａ，Ｃ０ｂ，Ｃ０ｃ及び下部静電容量Ｃ１ａ，Ｃ１ｂ，Ｃ１ｃが、各コンデンサブッシング２ａ，２ｂ，２ｃに対して決定される。これらの静電容量は、固定値として格納されている。
【０１００】
ステップ１０３：測定電圧Ｕ１ａ，Ｕ１ｂ，Ｕ１ｃが、各コンデンサブッシング２ａ，２ｂ，２ｃで検出される。電源電圧Ｕａ，Ｕｂ，Ｕｃが、各相Ｐａ，Ｐｂ，Ｐｃに対して検出される。
【０１０１】
ステップ１０４：電源電圧Ｕａ，Ｕｂ，Ｕｃが、実効値Ｕａｅ，Ｕｂｅ，Ｕｃｅに換算され、互いに比較される。
【０１０２】
この実施の形態では、電圧を比較するための許容値ＵＡＢ＞０，ＵＢＣ＞０，ＵＣＡ＞０が決定され、
｜Ｕａｅ−Ｕｂｅ｜≦ＵＡＢ及び｜Ｕｂｅ−Ｕｃｅ｜≦ＵＢＣ及び｜Ｕｃｅ−Ｕａｅ｜≦ＵＣＡ
が成立するか否かが検査されるように、当該電圧の比較が実行されることが提唱されている。
【０１０３】
はいの場合、このことは、当該電圧の比較の結果として、電源電圧Ｕａ，Ｕｂ，Ｕｃが既定の範囲ＵＡＢ，ＵＢＣ，ＵＣＡから外れていないことを意味する。この場合には、ステップ１０６が実行される。
【０１０４】
いいえの場合、このことは、当該電圧の比較の結果として、電源電圧Ｕａ，Ｕｂ，Ｕｃが既定の範囲ＵＡＢ，ＵＢＣ，ＵＣＡから外れていることを意味する。この場合には、ステップ１０５が実行される。
【０１０５】
ステップ１０５：当該電源の短絡及び／又は電源電圧Ｕａ，Ｕｂ，Ｕｃの非常に強い若しくは過度な非対称性を知らせる警告信号が生成される。引き続き、ステップ１０３へのジャンプが実行される。
【０１０６】
ステップ１０６：それぞれの下部静電容量Ｃ１ａ，Ｃ１ｂ，Ｃ１ｃのそれぞれの測定電圧Ｕ１ａ，Ｕ１ｂ，Ｕ１ｃによって決まり、且つその他の複数のコンデンサブッシングのうちの１つのコンデンサブッシング２ｂ，２ｃ，２ａの下部静電容量Ｃ１ｂ，Ｃ１ｃ，Ｃ１ａと上部静電容量Ｃ０ｂ，Ｃ０ｃ，Ｃ０ａとの測定電圧Ｕ１ｂ，Ｕ１ｃ，Ｕ１ａによって決まる実際の静電容量Ｃ０ａ′，Ｃ０ｂ′，Ｃ０ｃ′が、各コンデンサブッシング２ａ，２ｂ，２ｃに対して計算される。
【０１０７】
この実施の形態では、コンデンサブッシング２ａ，２ｂ，２ｃの実際の静電容量Ｃ０ａ′，Ｃ０ｂ′，Ｃ０ｃ′が、以下の複数の式によって計算される。
【０１０８】
【数４】
0006588906.tif 000005
【０１０９】
この場合、Ｋａは、補正値であり、Ｋａ＝Ｕｂ／Ｕａが、この補正値に対して成立する。
【０１１０】
【数５】
0006588906.tif 000006
【０１１１】
この場合、Ｋｂは、補正値であり、Ｋｂ＝Ｕｃ／Ｕｂが、この補正値に対して成立する。
【０１１２】
【数６】
0006588906.tif 000007
【０１１３】
この場合、Ｋｃは、補正値であり、Ｋｃ＝Ｕａ／Ｕｃが、この補正値に対して成立する。
【０１１４】
ステップ１０７：各コンデンサブッシング２ａ，２ｂ，２ｃに対して、それぞれの上部静電容量Ｃ０ａ，Ｃ０ｂ，Ｃ０ｃが、それぞれの実際の静電容量Ｃ０ａ′，Ｃ０ｂ′，Ｃ０ｃ′と比較される。
【０１１５】
この実施の形態では、許容値ＣＡ＞０，ＣＢ＞０，ＣＣ＞０が、当該複数の静電容量の比較に対して決定され、
｜Ｃ０ａ’−Ｃ０ａ｜≦ＣＡ及び｜Ｃ０ｂ’−Ｃ０ｂ｜≦ＣＢ及び｜Ｃ０ｃ’−Ｃ０ｃ｜≦ＣＣ
が成立するか否かが、最初に検査されるように、当該複数の静電容量の比較が実行されることが提唱されている。はいの場合、ステップ１０８が実行される。いいえの場合、ステップ１０９が実行される。
【０１１６】
ステップ１０８：コンデンサブッシング２ａ，２ｂ，２ｃが正常な状態にあることを示す監視信号が生成される。引き続き、ステップ１０３へのジャンプが実行される。
【０１１７】
ステップ１０９：さらに、
Ｃ０ａ’−Ｃ０ａ＜−ＣＡ及びＣ０ｂ’−Ｃ０ｂ＞ＣＢ及び｜Ｃ０ｃ’−Ｃ０ｃ｜≦ＣＣ
が成立するか否かが検査されるように、当該複数の静電容量の比較が実行される。はいの場合、ステップ１１０が実行される。いいえの場合、ステップ１１１が実行される。
【０１１８】
ステップ１１０：少なくとも第２コンデンサブッシング２ｂが正常な状態にないことを示す監視信号が生成される。引き続き、ステップ１２２へのジャンプが実行される。
【０１１９】
ステップ１１１：さらに、
Ｃ０ｂ’−Ｃ０ｂ＜−ＣＢ及びＣ０ｃ’−Ｃ０ｃ＞ＣＣ及び｜Ｃ０ａ’−Ｃ０ａ｜≦ＣＡ
が成立するか否かが検査されるように、当該複数の静電容量の比較が実行される。はいの場合、ステップ１１２が実行される。いいえの場合、ステップ１１３が実行される。
【０１２０】
ステップ１１２：少なくとも第３コンデンサブッシング２ｃが正常な状態にないことを示す監視信号が生成される。引き続き、ステップ１２２へのジャンプが実行される。
【０１２１】
ステップ１１３：さらに、
Ｃ０ｃ’−Ｃ０ｃ＜−ＣＣ及びＣ０ａ’−Ｃ０ａ＞ＣＡ及び｜Ｃ０ｂ’−Ｃ０ｂ｜≦ＣＢ
が成立するか否かが検査されるように、当該複数の静電容量の比較が実行される。はいの場合、ステップ１１４が実行される。いいえの場合、ステップ１１５が実行される。
【０１２２】
ステップ１１４：少なくとも第１コンデンサブッシング２ａが正常な状態にないことを示す監視信号が生成される。引き続き、ステップ１２２へのジャンプが実行される。
【０１２３】
ステップ１１５：少なくとも２つのコンデンサブッシングが正常な状態にないことを示す監視信号が生成される。
【０１２４】
ステップ１１６：さらに、
Ｃ０ａ’−Ｃ０ａ＞ＣＡ及びＣ０ｂ’−Ｃ０ｂ＜−ＣＢ及び｜Ｃ０ｃ’−Ｃ０ｃ｜≦ＣＣ
が成立するか否かが検査されるように、当該複数の静電容量の比較が実行される。はいの場合、ステップ１１７が実行される。いいえの場合、ステップ１１８が実行される。
【０１２５】
ステップ１１７：第１及び第３コンデンサブッシング２ａ，２ｃが正常な状態になく、同じ欠陥を有することを示す監視信号が生成される。引き続き、ステップ１２２へのジャンプが実行される。
【０１２６】
ステップ１１８：さらに、
Ｃ０ｂ’−Ｃ０ｂ＞ＣＢ及びＣ０ｃ’−Ｃ０ｃ＜−ＣＣ及び｜Ｃ０ａ’−Ｃ０ａ｜≦ＣＡ
が成立するか否かが検査されるように、当該複数の静電容量の比較が実行される。はいの場合、ステップ１１９が実行される。いいえの場合、ステップ１２０が実行される。
【０１２７】
ステップ１１９：第２及び第１コンデンサブッシング２ｂ，２ａが正常な状態になく、同じ欠陥を有することを示す監視信号が生成される。引き続き、ステップ１２２へのジャンプが実行される。
【０１２８】
ステップ１２０：さらに、
Ｃ０ｃ’−Ｃ０ｃ＞ＣＣ及びＣ０ａ’−Ｃ０ａ＜−ＣＡ及び｜Ｃ０ｂ’−Ｃ０ｂ｜≦ＣＢ
が成立するか否かが検査されるように、当該複数の静電容量の比較が実行される。はいの場合、ステップ１１９が実行される。いいえの場合、ステップ１２０が実行される。はいの場合、ステップ１２１が実行される。いいえの場合、ステップ１２２が実行される。
【０１２９】
ステップ１２１：第３及び第２コンデンサブッシング２ｃ，２ｂが正常な状態になく、同じ欠陥を有することを示す監視信号が生成される。引き続き、ステップ１２２へのジャンプが実行される。
【０１３０】
ステップ１２２：少なくとも２つのコンデンサブッシングが正常な状態にないことを示し、同じでない欠陥を有することを示す監視信号が生成される。引き続き、当該方法が終了され、必要に応じて、ステップ１０３へのジャンプが実行される。
【０１３１】
ステップ１０２は、例えば評価装置８によって実行され得る。
【０１３２】
ステップ１０３は、例えば、一方では測定アダプタ６、測定装置７及び評価装置８によって実行され得、他方では電圧変換器９ａ，９ｂ，９ｃ及び評価装置８によって実行され得る。したがって、測定アダプタ６、測定装置７及び評価装置８が、各コンデンサブッシング２ａ，２ｂ，２ｃで、それぞれの内層３と接地電位１３との間に存在する測定電圧Ｕ１ａ，Ｕ１ｂ，Ｕ１ｃを検出するように構成されている手段を、この測定アダプタ６、この測定装置７及びこの評価装置８は一緒に構成する。したがって、電圧変換器９ａ，９ｂ，９ｃ及び評価装置８が、各相Ｐａ，Ｐｂ，Ｐｃの電源電圧Ｕａ，Ｕｂ，Ｕｃを検出するように構成されている手段を、この電圧変換器９ａ，９ｂ，９ｃ及びこの評価装置８は一緒に構成する。
【０１３３】
ステップ１０４及び１０５は、例えば評価装置８によって実行され得る。したがって、評価装置８が電源電圧Ｕａ，Ｕｂ，Ｕｃを互いに比較するように構成されている手段を、この評価装置８は構成する。
【０１３４】
ステップ１０６は、例えば評価装置８によって実行され得る。したがって、評価装置８が、各コンデンサブッシング２ａに対して実際の静電容量Ｃ０ａ′，Ｃ０ｂ′，Ｃ０ｃ′を計算するように構成されている手段を、この評価装置８は構成する。実際の静電容量Ｃ０ａ′，Ｃ０ｂ′，Ｃ０ｃ′は、それぞれのコンデンサブッシング２ａ，２ｂ，２ｃの下部静電容量Ｃ１ａ，Ｃ１ｂ，Ｃ１ｃのそれぞれの測定電圧Ｕ１ａ，Ｕ１ｂ，Ｕ１ｃと、その他の複数のコンデンサブッシング２ｂ，２ｃ，２ａのうちの１つのコンデンサブッシングの下部静電容量Ｃ１ｂ，Ｃ１ｃ，Ｃ１ａと上部静電容量Ｃ０ｂ，Ｃ０ｃ，Ｃ０ａとの測定電圧Ｕ１ｂ，Ｕ１ｃ，Ｕ１ａとによって決まる。
【０１３５】
ステップ１０７，１０９，１１１，１１３，１１６，１１８，１２０は、例えば評価装置８によって実行され得る。したがって、評価装置８が、各コンデンサブッシング２ａ，２ｂ，２ｃに対して、それぞれの上部静電容量Ｃ０ａ，Ｃ０ｂ，Ｃ０ｃをそれぞれの実際の静電容量Ｃ０ａ′，Ｃ０ｂ′，Ｃ０ｃ′と比較するように構成されている手段を、この評価装置８は構成する。
【０１３６】
ステップ１０８，１１０，１１２，１１４，１１５，１１７，１１９，１２１，１２２は、例えば評価装置８によって実行され得る。したがって、評価装置８が、当該複数の静電容量の比較の結果によって決まる監視信号を生成するように構成されている手段を、この評価装置８は構成する。
【符号の説明】
【０１３７】
１                            設備
２ａ，２ｂ，２ｃ              コンデンサブッシング
３                            内層
４                            導体
５ａ，５ｂ，５ｃ              電力線（電源線）
６                            測定アダプタ
７                            測定装置
７′                          過電圧保護装置
８                            評価装置
９ａ，９ｂ，９ｃ              電圧変換器
１１                          絶縁本体
１２                          フランジ
１３                          接地電位
Ｋ１，Ｋ２                    コンデンサ
Ｗ１，Ｗ２                    巻線
Ｐａ，Ｐｂ，Ｐｃ              第１相、第２相、第３相
Ｕａ，Ｕｂ，Ｕｃ              電源電圧（配電電圧）
Ｕａｅ，Ｕｂｅ，Ｕｃｅ        電源電圧の実効値
ＳＰ１，ＳＰ２，ＳＰ３        分圧器
ＫＯ１，ＫＯ２，ＫＯ３        第１、第２、第３上部電圧コンデンサ
ＫＵ１，ＫＵ２，ＫＵ３        第１、第２、第３下部電圧コンデンサ
ＫＡ１，ＫＡ２，ＫＡ３        第１、第２、第３外側コンデンサ
ＫＭ１，ＫＭ２，ＫＭ３        第１、第２、第３測定コンデンサ
Ｃ０ａ，Ｃ０ｂ，Ｃ０ｃ        ＫＯ１，ＫＯ２，ＫＯ３の上部静電容量
Ｃ０ａ′，Ｃ０ｂ′，Ｃ０ｃ′  ＫＯ１，ＫＯ２，ＫＯ３の実際の静電容量
Ｃ１ａ，Ｃ１ｂ，Ｃ１ｃ        ＫＵ１，ＫＵ２，ＫＵ３の下部静電容量
ＣＡ１，ＣＡ２，ＣＡ３        ＫＡ１，ＫＡ２，ＫＡ３の静電容量
ＣＭ１，ＣＭ２，ＣＭ３        ＫＭ１，ＫＭ２，ＫＭ３の静電容量
Ｕ１ａ，Ｕ１ｂ，Ｕ１ｃ        ６の測定電圧
Ｋａ，Ｋｂ，Ｋｃ              補正値
ＣＡ，ＣＢ，ＣＣ              静電容量の比較に対する許容値
ＵＡＢ，ＵＢＣ，ＵＣＡ        電圧の比較に対する許容値
【図１】
0006588906.tif 000011
【図２】
0006588906.tif 000012
【図３】
0006588906.tif 000013
【図４】
0006588906.tif 000014